(57)【要約】  【構成】  ラジオ機能がオンされると、ラジオ放送がジャック３８に接続されたイヤフォンを通して受信され、受信されたラジオ放送の音声信号がイヤフォンに出力される。ＬＣＤモニタ３４には、ラジオ放送に関連する特定操作を受け付けるラジオ画面が表示される。イヤフォンがジャック３８から外れると、タイマＴ２によって時間の測定が開始される。測定された時間が期限に達すると、つまりタイムアウトが発生すると、ラジオ機能がＣＰＵ２８によってオフされる。ラジオ機能のオフによって、ＦＭチューナ３６への電源供給が停止され、ラジオ画面の表示が終了する。ただし、測定された時間が期限に達する前に特定操作が行われると、期限がＣＰＵ２８によって延長される。  【効果】  イヤフォンが外れたときにラジオ機能をオフすることで、無駄な電力消費を抑えることができる。また、期限が到来する前にラジオ画面に向けられた特定操作が行われたときに期限を延長することで、操作性の低下を回避することができる。  【選択図】  図２
2005109729.tif 000002
【特許請求の範囲】
【請求項１】
少なくとも音声信号を含む放送を受信し、受信された前記放送の音声信号を特定端子部に接続されたイヤフォンから出力し、そして前記放送に関連する特定操作を受け付ける受付画面をモニタに表示する放送受信機能を有する携帯端末において、
前記イヤフォンが前記特定端子部から外れたとき時間の測定を開始する測定手段、
前記測定手段によって測定された時間が期限に達したとき前記番組受信機能を不能化する不能化手段、および
前記測定手段によって測定された時間が前記期限に達する前に前記特定操作が行われたとき前記期限を延長する延長手段を備えることを特徴とする、携帯端末。
【請求項２】
前記特定操作は前記放送の出力制御に関連する第１操作を含む、請求項１記載の携帯端末。
【請求項３】
前記特定操作は任意の地域を選択する地域選択操作を含み、
前記地域選択操作によって選択された地域に属する放送局の放送周波数を有効化する有効化手段をさらに備える、請求項２記載の携帯端末。
【請求項４】
前記第１操作は受信周波数のチューニング操作を含む、請求項２または３記載の携帯端末。
【請求項５】
データ通信を行う通信手段をさらに備え、
前記特定操作は前記データ通信の制御に関連する第２操作をさらに含む、請求項２ないし４のいずれかに記載の携帯端末。
【請求項６】
前記第２操作は現時点で受信している放送番組に関連して提供されるコンテンツを前記データ通信によって取得する取得操作を含む、請求項５記載の携帯端末。
【請求項７】
前記第２操作は前記取得操作によって取得されたコンテンツに向けられたコンテンツ関連操作をさらに含む、請求項６記載の携帯端末。
【請求項８】
前記コンテンツ関連操作は前記コンテンツに保護をかける操作を含む、請求項７記載の携帯端末。
【請求項９】
前記コンテンツ関連操作は前記コンテンツよりも詳細な詳細コンテンツを取得する操作を含む、請求項７または８記載の携帯端末。
【請求項１０】
前記不能化手段は前記取得操作に応じたコンテンツの取得が完了するまで前記期限が到来したか否かの判断を保留とし、
前記延長手段は前記取得操作に応じたコンテンツの取得が完了した後に前記期限を延長する、請求項７ないしまたは９のいずれかに記載の携帯端末。
【請求項１１】
前記放送は第１周波数帯域を用いて行われ、
前記データ通信は第２周波数帯域を用いて行われる、請求項５ないし１０のいずれかに記載の携帯端末。
【請求項１２】
前記測定手段は、起動命令に応答して前記閾値に相当する時間の測定を開始するタイマ手段、および前記イヤフォンが前記特定端子部から外れたとき前記タイマ手段に対して前記起動命令を発行する第１発行手段を含み、
前記延長手段は前記タイマ手段に対して前記起動命令を発行する、請求項１ないし１１のいずれかに記載の携帯端末。
【請求項１３】
前記イヤフォンは、前記放送を捉えるアンテナ、および前記音声信号を出力するスピーカを有し、
前記特定端子部は、前記アンテナによって捉えられた前記放送を入力する入力端子、および前記スピーカに向けられた前記音声信号を出力する出力端子を有する、請求項１ないし１２のいずれかに記載の携帯端末。
【請求項１４】
前記不能化手段は、前記測定手段によって測定された時間が前記期限に達するまで前記特定操作が行われなかったとき、前記期限を延長することなく前記放送受信機能を不能化する、請求項１ないし１３のいずれかに記載の携帯端末。
【発明の詳細な説明】
【技術分野】
【０００１】
この発明は、携帯端末に関し、特にたとえば音声コンテンツの出力機能を有する、携帯端末に関する。
【背景技術】
【０００２】
従来のこの種の携帯端末の一例が、特許文献１に開示されている。この従来技術は、音楽を再生している途中でヘッドフォンが抜かれたときに音楽部への電源供給を停止することによって、無駄な電力消費を回避しようとするものである。
【特許文献１】特開２００２−５８０９２号公報［Ｈ０４Ｒ ３／００］
【発明の開示】
【発明が解決しようとする課題】
【０００３】
しかし、従来技術では、ヘッドフォンが抜かれた直後に音楽部への電源供給が停止され、電源供給の停止によって選曲などの操作も一切不可能となる。このため、従来技術では、操作性に問題があった。
【０００４】
それゆえに、この発明の主たる目的は、消費電力を抑えることができ、かつ操作性の低下を回避することができる、携帯端末を提供することである。
【課題を解決するための手段】
【０００５】
請求項１に従う携帯端末は、少なくとも音声信号を含む放送を受信し、受信された放送の音声信号を特定端子部に接続されたイヤフォンから出力し、そして放送に関連する特定操作を受け付ける受付画面をモニタに表示する放送受信機能を有する携帯端末において、イヤフォンが特定端子部から外れたとき時間の測定を開始する測定手段、測定手段によって測定された時間が期限に達したとき放送受信機能を不能化する不能化手段、および測定手段によって測定された時間が期限に達する前に特定操作が行われたとき期限を延長する延長手段を備えることを特徴とする。
【０００６】
放送受信機能が能動化されると、少なくとも音声信号を含む放送が受信され、受信された放送の音声信号が特定端子部に接続されたイヤフォンから出力され、そして放送に関連する特定操作を受け付ける受付画面がモニタに表示される。イヤフォンが特定端子部から外れると、測定手段によって時間の測定が開始され、測定された時間が期限に達すると、放送受信機能が不能化手段によって不能化される。ただし、測定された時間が期限に達する前に特定操作が行われると、期限が延長手段によって延長される。
【０００７】
イヤフォンが外れたときに放送受信機能を不能化することで、無駄な電力消費を抑えることができる。また、期限が到来する前に受付画面に向けられた特定操作が行われたときに期限を延長することで、操作性の低下を回避することができる。
【０００８】
請求項２に従う携帯端末は、請求項１に従属し、特定操作は放送の出力制御に関連する第１操作を含む。携帯端末で放送を聴取する場合、携帯端末の性質上、受信環境が変動しやすい。たとえば、現在地に適した同調周波数が当初の周波数設定と異なる状況が発生しやすい。第１操作としては、単なるボリューム調整操作やチャネル切換操作の他に、かかる同調周波数の変化に応じたチューニング操作（微調整操作や再設定操作）がある。
【０００９】
そして、傍にいる別の人にこのような操作を依頼する場合に、イヤフォンが携帯端末から外されることがある。請求項２では、放送受信機能を不能化する期限が特定操作によって延長されるため、途中で操作不能となることはない。
【００１０】
請求項３に従う携帯通信端末は、請求項２に従属し、特定操作は任意の地域を選択する地域選択操作を含み、地域選択操作によって選択された地域に属する放送局の放送周波数を有効化する有効化手段をさらに備える。
【００１１】
携帯端末の性質上、放送を聴取する地域が変更される可能性がある。たとえば、携帯端末の所有者が東京から大阪に移動した場合などが考えられる。地域選択操作は、かかる地域の変更を考慮した操作である。この操作が行われると、選択された地域に属する放送局の周波数が有効化される。
【００１２】
請求項４に従う携帯端末は、請求項２または３に従属し、第１操作は受信周波数のチューニング操作を含む。放送局によっては、エリア毎に複数の周波数を準備している場合がある。このチューニング操作には、単に放送局を別の放送局に変更する操作の他に、同じ放送局について別の周波数を選択する操作も含まれる。
【００１３】
請求項５に従う携帯端末は、請求項２ないし４のいずれかに従属し、データ通信を行う通信手段をさらに備え、特定操作はデータ通信の制御に関連する第２操作をさらに含む。      
【００１４】
放送局の中には、データ通信によってコンテンツを提供する局もある。第２操作は、かかるデータ通信の制御に関連する操作である。コンテンツを取得するときは必ずしも放送を聴取する必要はなく、イヤフォンが特定端子部から外される場合がある。さらに、取得したコンテンツに向けて操作が行われる場合もある。請求項５では、イヤフォンが外されてから放送受信機能が不能化されるまでに期限があり、さらにこの期限が第２操作によって延長される。このため、コンテンツの取得操作および取得されたコンテンツに向けた操作が途中で不能となることはない。
【００１５】
請求項６に従う携帯端末は、請求項５に従属し、第２操作は現時点で受信している放送番組に関連して提供されるコンテンツをデータ通信によって取得する取得操作を含む。
【００１６】
請求項７に従う携帯端末は、請求項６に従属し、第２操作は取得操作によって取得されたコンテンツに向けられたコンテンツ関連操作をさらに含む。
【００１７】
請求項８に従う携帯端末は、請求項７に従属し、コンテンツ関連操作はコンテンツに保護をかける操作を含む。
【００１８】
請求項９に従う携帯端末は、請求項７または８に従属し、コンテンツ関連操作はコンテンツよりも詳細な詳細コンテンツを取得する操作を含む。
【００１９】
請求項１０に従う携帯端末は、請求項７ないし９のいずれかに従属し、不能化手段は取得操作に応じたコンテンツの取得が完了するまで期限が到来したか否かの判断を保留とし、延長手段は取得操作に応じたコンテンツの取得が完了した後に期限を延長する。これによって、データ通信環境の変化によってコンテンツの取得に予想以上の時間がかかったとしても、コンテンツの取得の完了後に継続してコンテンツ関連操作を行うことができる。
【００２０】
請求項１１に従う携帯端末は、請求項５ないし１０のいずれかに従属し、放送は第１周波数帯域を用いて行われ、データ通信は第２周波数帯域を用いて行われる。
【００２１】
請求項１２に従う携帯端末は、請求項１ないし１１のいずれかに従属し、測定手段は、起動命令に応答して閾値に相当する時間の測定を開始するタイマ手段、およびイヤフォンが特定端子部から外れたときタイマ手段に対して起動命令を発行する第１発行手段を含み、延長手段はタイマ手段に対して起動命令を発行する。
【００２２】
請求項１３に従う携帯端末は、請求項１ないし１２のいずれかに従属し、イヤフォンは、放送を捉えるアンテナ、および音声信号を出力するスピーカを有し、特定端子部は、アンテナによって捉えられた放送を入力する入力端子、およびスピーカに向けられた音声信号を出力する出力端子を有する。
【００２３】
請求項１４に従属する携帯端末は、請求項１ないし１３のいずれかに従属し、不能化手段は、測定手段によって測定された時間が期限に達するまで特定操作が行われなかったとき、期限を延長することなく放送受信機能を不能化する。
【発明の効果】
【００２４】
この発明によれば、イヤフォンが外れたときに放送受信機能を不能化することで、無駄な電力消費を抑えることができる。また、期限が到来する前に受付画面に向けられた特定操作が行われたときに期限を延長することで、操作性の低下を回避することができる。
【００２５】
この発明の上述の目的，その他の目的，特徴および利点は、図面を参照して行う以下の実施例の詳細な説明から一層明らかとなろう。
【発明を実施するための最良の形態】
【００２６】
図１を参照して、この実施例の移動通信システムは、携帯通信端末２００と無線通信を行う複数のＢＳ（Base Station）１００，１００，…を含む。移動通信基地局１００はＭＬＳ（Mobile Local Switch）４００と接続され、ＭＬＳ４００はＭＧＳ（Mobile Gateway Switch）３００を介して他のＭＬＳ４００と接続される。携帯通信端末２００同士での電話のやり取り、つまり音声データの通信は、ＢＳ１００，ＭＬＳ４００およびＭＧＳ３００を介して行われる。
【００２７】
ＭＬＳ４００はまた、ＰＰＭ（Packet Processing Module）５００を介してバックボーンネットワーク６００と接続され、バックボーンネットワーク６００にはサーバ７００が接続される。サーバ７００は、インターネット８００にも接続される。
【００２８】
携帯通信端末２００からパケットデータが発信されたとき、このパケットデータは、ＢＳ１００，ＭＬＳ４００，ＰＰＭ５００およびバックボーンネットワーク６００を介してサーバ７００に与えられる。転送されたパケットデータが他の携帯通信端末２００宛のメールであれば、サーバ７００は、このパケットデータをバックボーンネットワーク６００，ＰＰＭ５００，ＭＬＳ４００，ＢＳ１００を介して宛先の携帯通信端末２００に送信する。一方、転送されたパケットデータがＷＥＢサイト８００へのアクセス要求であれば、サーバ７００は、インターネット８００を介してＷＥＢサイト８００にアクセスし、アクセス先から取得したパケットデータを要求元の携帯通信端末２００に返送する。このときも、パケットデータは、バックボーンネットワーク６００，ＰＰＭ５００，ＭＬＳ４００，ＢＳ１００を介して要求元の携帯通信端末２００に転送される。なお、パケットデータの通信は、４３０ＭＨｚ帯を用いて行われる。
【００２９】
携帯通信端末２００は、具体的には図２に示すように構成される。キー入力装置３０によって通話のための発呼操作が行われると、ＣＰＵ２８は、信号処理回路１６，無線回路１４およびアンテナ１２を通して発呼信号を相手方の携帯通信端末２００に送信する。これに対して、相手方が着呼操作を行うと、通話可能状態となる。
【００３０】
通話可能状態となった後にマイクロホン２６に音声が入力されると、この音声は、マイクロホン２６によってアナログ信号である音声信号に変換される。変換された音声信号は、アンプ２４によって増幅され、ＡＤ／ＤＡ変換回路１８によってディジタル信号である音声データに変換される。変換された音声データは、信号処理回路１６によって符号化処理を施され、さらに無線回路１４によって変調処理を施される。無線回路１４によって生成された変調音声データは、アンテナ１２から発信される。
【００３１】
一方、相手方から送られてきた変調音声データは、アンテナ１２によって受信され、無線回路１４によって復調処理を施されるとともに、信号処理１６によって復号処理を施される。信号処理回路１６によって復号された音声データは、ＡＤ／ＤＡ変換回路１８によってアナログ信号である音声信号に変換され、変換された音声信号は、アンプ２０を介してスピーカ２２から出力される。
【００３２】
このようにして相手方との間で通話が行われている最中に、キー入力装置３０によって通話終了操作が行われると、ＣＰＵ２８は、信号処理回路１６および無線回路１４を制御して、相手方に通話終了信号を送信する。通話終了信号の送信後、ＣＰＵ２８は、通話処理を終了する。先に相手方から通話終了信号を受信した場合も、ＣＰＵ２８は、通話処理を終了する。
【００３３】
図１に示すサーバ７００からメールが送信されると、このメールは、アンテナ１２，無線回路１４および信号処理回路１６を介してＣＰＵ２８に入力される。ＣＰＵ２８は、受信したメールをフラッシュメモリ３２に保存する。また、オペレータによってメールが作成されかつ送信操作が行われると、このメールは、信号処理回路１６，無線回路１４およびアンテナ１２を通してサーバ７００に送信される。
【００３４】
この実施例の携帯通信端末２００は、図１に示すＦＭラジオ局１０００，１０００…によって７６ＭＨｚ〜９０ＭＨｚの帯域を利用して放送されるＦＭラジオ信号を受信するべく、ＦＭチューナ３６およびイヤフォンジャック３８を備える。イヤフォンジャック３８には、図３に示すステレオイヤフォン４０のプラグ４６、あるいは図４に示すモノラルイヤフォン５０のプラグ５４が装着され、ＦＭラジオ信号は、ステレオイヤフォン４０またはモノラルイヤフォン５０とイヤフォンジャック３８とを介してＦＭチューナ３６に入力される。
【００３５】
図３を参照して、ステレオイヤフォン４０は、ＦＭラジオ信号を捉えるアンテナ線ＡＴＬ１およびＡＴＬ２と、ステレオ音声信号を形成するＬチャネル音声信号をスピーカ４２に伝送する信号線ＳＬ１と、ステレオ音声信号を形成するＲチャネル音声信号をスピーカ４４に伝送する信号線ＳＬ２とを有する。また、プラグ４６には、端子Ｔ１１〜Ｔ１６が設けられる。アンテナ線ＡＴＬ１およびＡＴＬ２は端子Ｔ１４に接続され、信号線ＳＬ１およびＳＬ２は端子Ｔ１３およびＴ１５にそれぞれ接続される。端子Ｔ１１およびＴ１２は基準電位面と接続され、端子Ｔ１６は開放される。プラグ４６がイヤフォンジャック３８に装着されると、端子Ｔ１１〜Ｔ１６がイヤフォンジャック３８を形成する端子Ｔ１〜Ｔ６にそれぞれ接続される。
【００３６】
図４を参照して、モノラルイヤフォン５０は、放送電波を捉えるアンテナ線ＡＴＬ３と、モノラル音声信号をスピーカ５２に伝送する信号線ＳＬ３とを有する。プラグ５４には、端子Ｔ２１〜Ｔ２６が設けられる。アンテナ線ＡＴＬ３は端子Ｔ２４に接続され、信号線ＳＬ３は端子Ｔ２３に接続される。端子Ｔ２１は基準電位面と接続され、端子Ｔ２２，Ｔ２５およびＴ２６は開放される。プラグ５４がイヤフォンジャック３８に装着されると、端子Ｔ２１〜Ｔ２６が端子Ｔ１〜Ｔ６にそれぞれ接続される。
【００３７】
図２に戻って、イヤフォンジャック３８に設けられた端子Ｔ１およびＴ２は、それぞれ電圧線ＶＬ１およびＶＬ２を介してＣＰＵ２８と接続される。電圧線ＶＬ１には抵抗Ｒ１を介してバイアス電圧が印加され、電圧線ＶＬ２には抵抗Ｒ２を介してバイアス電圧が印加される。したがって、ステレオイヤフォン４０およびモノラルイヤフォン５０のいずれも装着されていないときは、いずれもがＨレベルを有する電圧が、電圧線ＶＬ１およびＶＬ２を経てＣＰＵ２８にそれぞれ供給される。ステレオイヤフォン４０が装着されたときは、いずれもがＬレベルを有する電圧が、電圧線ＶＬ１およびＶＬ２を経てＣＰＵ２８にそれぞれ供給される。モノラルイヤフォン５４が装着されたときは、Ｌレベルの電圧が電圧線ＶＬ１を経てＣＰＵ２８に供給され、Ｈレベルの電圧が電圧線ＶＬ２を経てＣＰＵ２８に供給される。したがって、ＣＰＵ２８は、電圧線ＶＬ１およびＶＬ２に印加された電圧のレベルに基づいて、イヤフォンジャック３８の状態を認識することができる。
【００３８】
ステレオイヤフォン４６が装着されかつキー入力装置３０によってラジオ機能のオン操作が行われると、ＣＰＵ２８は、ＦＭチューナ３６を起動し、かつ所望のチャネルのチューニングおよびステレオ音声信号の出力をＦＭチューナ３６に命令する。図３に示すアンテナ線ＡＴＮ１およびＡＴＮ２によって捉えられたＦＭラジオ信号は、プラグ４６の端子Ｔ１４およびイヤフォンジャック３８の端子Ｔ４を経てＦＭチューナ３６に入力され、チューニングやステレオ音声変換などの信号処理を施される。これによって、所望のＦＭラジオ放送のステレオ音声信号が生成される。ステレオ音声信号を形成するＬチャネル音声信号は、アンプ３８と端子Ｔ３およびＴ１３とを介してスピーカ４２に与えられ、ステレオ音声信号を形成するＲチャネル音声信号は、アンプ４０と端子Ｔ５およびＴ１５とを介してスピーカ４４に与えられる。
【００３９】
モノラルイヤフォン５４が装着された状態でキー入力装置３０によってラジオ放送受信操作が行われた場合、ＣＰＵ２８は、ＦＭチューナ３６を起動し、かつ所望のチャネルのチューニングおよびモノラル音声信号の出力をＦＭチューナ３６に命令する。図４に示すアンテナ線ＡＴＮ３によって捉えられたＦＭラジオ放送信号は、プラグ５４の端子Ｔ２４およびイヤフォンジャック３８の端子Ｔ４を経てＦＭチューナ３６に入力され、チューニングやモノラル音声変換などの信号処理を施される。これによって、所望のＦＭラジオ放送のモノラル音声信号が生成される。生成されたモノラル音声信号は、アンプ３８と端子Ｔ４およびＴ２４を介してスピーカ５２に与えられる。
【００４０】
ステレオイヤフォン４６またはモノラルイヤフォン５４が装着されかつラジオ機能のオン操作が行われたとき、ＣＰＵ２８は、図６の左上に示すメイン画面をＬＣＤモニタ３４に表示する。ＣＰＵ２８はさらに、キー入力装置３０を用いたラジオ機能に有効なキー操作に応答して、ＬＣＤモニタ３４の表示を図６〜図１７に示す画面間で遷移させる。なお、図６〜図１７に示すラジオ機能の操作画面を、総称して“ラジオ画面”と定義する。
【００４１】
図６を参照して、メイン画面の中央には、チューニング周波数を表示する窓Ｗ１，出力音声のボリュームを示すバーＢ１，および後述する曲情報または詳細情報を表示する窓Ｗ２が表示され、メイン画面の下側には“ＩＮＦＯ．ＢＯＸ”と記述されたアイコンＩＣＮ１，“ＯＫ”と記述されたアイコンＩＣＮ２，および“ＭＥＮＵ”と記述されたアイコンＩＣＮ３が表示される。
【００４２】
画面下側には、アイコンＩＣＮ１〜ＩＣＮ３のように、最大で３つのアイコンが水平方向に配列される。左側のアイコン，中央のアイコンおよび右側のアイコンには、図２に示すキー入力装置３０に設けられた機能キー３０ｆ１，３０ｆ２および３０ｆ３がそれぞれ割り当てられる。このため、図６左上にメニュー画面については、アイコンＩＣＮ１に機能キー３０ｆ１が割り当てられ、アイコンＩＣＮ２に機能キー３０ｆ２が割り当てられ、そしてアイコンＩＣＮ３に機能キー３０ｆ３が割り当てられる。なお、アイコンの表示が中止された場合、そのアイコンに割り当てられた機能キーの操作は無効とされる。
【００４３】
図６左上のメニュー画面が表示されている状態で機能キー３０ｆ３が操作されると、ＣＰＵ２８は、ＬＣＤモニタ３４の表示を図６の右上に示すメニュー画面に遷移させる。遷移されたメニュー画面上には、“１ＴＩＭＥ ＴＡＢＬＥ”，“２ ＭＹエリア選択”，“３プリセット”，および“４ オートパワーオフ”のメニュー項目と、上述のアイコンＩＣＮ２とが表示される。図６の左上に示すメイン画面が表示されている状態で機能キー３０ｆ１が操作されると、ＣＰＵ２８は、ＬＣＤモニタ３４の表示を図６の下側に示す情報ボックス画面に遷移させる。遷移された情報ボックス画面上には、“１取得情報一覧”，“２ ＭＹ ＢＯＸ”および“３ ＳＥＡＲＣＨ”のメニュー項目と、上述のアイコンＩＣＮ２とが表示される。メニュー画面および情報ボックス画面のいずれにおいても、アイコンＩＣＮ１およびＩＣＮ３の表示は中止されている。このため、機能キー３０ｆ１および３０ｆ３の操作は無効となる。
【００４４】
図７を参照して、左上のメニュー画面が表示されている状態で、十字キー３０ｃｒｓによって“２ＭＹエリア選択”が選択されかつ機能キー３０ｆ２が操作されると、ＣＰＵ２８は、ＬＣＤモニタ３４の表示を図７の右上に示すエリア選択画面に遷移させる。エリア選択画面には、スクロール可能な都道府県リストＬ１と上述のアイコンＩＣＮ２とが表示される。
【００４５】
ここで、十字キー３０ｃｒｓによって都道府県リストＬ１から所望の都道府県が選択されかつ機能キー３０ｆ２が操作されると、ＣＰＵ２８は、選択された都道府県で受信できるＦＭラジオ局をキー入力装置３０に配置された数字キー３０ｎに割り当て、ＬＣＤモニタ３４の表示を図７の下側に示すメイン画面に遷移させる。
【００４６】
周波数の割り当てについて、以下に詳しく説明する。フラッシュメモリ３２には、図５に示す要領で都道府県毎に作成された複数のラジオ局テーブル３２ｔ，３２ｔ…が記憶されている。各々のラジオ局テーブル３２ｔには、その都道府県で受信できるＦＭラジオ局の名称および周波数が記述されている。図５には、代表的な例として東京都のラジオ局テーブル３２ｔおよび大阪府のラジオ局テーブル３２ｔを詳しく示す。図７の右上に示すエリア選択画面で所望の都道府県が確定されると、確定した都道府県のラジオ局テーブル３２ｔが有効化され、有効化されたラジオ局テーブル３２ｔに記述されたＦＭラジオ局が数字キーに割り当てられる。
【００４７】
たとえば、確定した都道府県が“大阪府”であれば、大阪府のラジオ局テーブル３２ｔが有効化され、ラジオ局“ｆｍＯＳＡＫＡ”，“ＦＭ８０２”，“ＦＭ ＣＯ・ＣＯ・ＬＯ”，“α−ＳＴＡＴＩＯＮ”および“Ｋｉｓｓ−ＦＭ”が数字キー“１”〜“５”にそれぞれ割り当てられる。この結果、図７の下側に示すメイン画面の窓Ｗ１には、数字キー“１”に割り当てられたラジオ局の周波数“８５．１”が表示される。
【００４８】
図８の左上に示すメニュー画面が表示されている状態で、十字キー３０ｃｒｓによって“３プリセット”が選択されかつ機能キー３０ｆ２が操作されると、ＣＰＵ２８は、ＬＣＤモニタ３４の表示を図８の右上に示すプリセット画面に遷移させる。遷移したプリセット画面には、現時点で数字キーに割り当てられているラジオ局の名称および周波数と上述のアイコンＩＣＮ２とが表示される。ここで、オペレータが十字キー３０ｃｒｓによって所望のラジオ局を選択しかつ機能キー３０ｆ２を操作すると、ＣＰＵ２８は、ＬＣＤモニタ３４の表示を図８の左下に示す周波数調整画面に遷移させる。
【００４９】
遷移した周波数調整画面には、選択されたラジオ局の名称を表示する窓Ｗ３，選択されたラジオ局の周波数を表示する窓Ｗ４，“決定”と記述されたアイコンＩＣＮ５，および上述のアイコンＩＣＮ２が表示される。ここで、オペレータが、窓Ｗ４に表示された数値を十字キー３０ｃｒｓによって変更し、機能キー３０ｆ３を操作すると、ＣＰＵ２８は、選択されたラジオ局の周波数設定を変更し（具体的にはラジオ設定テーブル３２ｔの設定値を変更）、ＬＣＤモニタ３４の表示を図８右下に示すメイン画面に遷移させる。遷移されたメイン画面の窓Ｗ１には、変更後の周波数が表示される。
【００５０】
図９の左上に示すメニュー画面が表示されている状態で、オペレータが十字キー３０ｃｒｓによって“２ＴＩＭＥ ＴＡＢＬＥ”を選択しかつ機能キー３０ｆ２を操作すると、ＣＰＵ２８は、ラジオ放送番組を管理する特定のＷＥＢサイト９００にアクセス要求を送信する。アクセス要求には、現時点で選局しているラジオ局を示すラジオ局情報と識別子“ＴＩＭＥＴＡＢＬＥ”とが含まれる。このアクセス要求を受信したＷＥＢサイト９００は、対応するタイムテーブルのパケットデータを要求元に返送する。こうして所望のタイムテーブルが得られると、ＣＰＵ２８は、ＬＣＤモニタ３４の表示を図９の右上に示すタイムテーブル画面に遷移させる。遷移されたタイムテーブル画面には、取得したタイムテーブルと上述のアイコンＩＣＮ２とが表示される。
【００５１】
ここで、十字キー３０ｃｒｓを右方向または左方向に操作すると、ＣＰＵ２８は、現時点で有効なラジオ局テーブル３２ｔに設定された別のラジオ局を検出し、検出したラジオ局のタイムテーブルを上述と同じ要領で特定のＷＥＢサイト９００から取得する。この結果、ＬＣＤ３４の表示は、図９の左下に示すタイムテーブル画面に遷移する。その後、オペレータが機能キー３０ｆ２を操作すると、ＬＣＤモニタ３４の表示は、図９の右下に示すメイン画面に遷移する。
【００５２】
図１０の左上に示すメニュー画面が表示されている状態で、オペレータが十字キー３０ｃｒｓによって“４オートパワーオフ”を選択しかつ機能キー３０ｆ２を操作すると、ＣＰＵ２８は、ＬＣＤモニタ３４の表示を図１０の右上に示すオートパワーオフ画面に遷移させる。オートパワーオフ機能は、ラジオ機能に有効なキー操作が所定の猶予期間にわたって行われなかったときにラジオ機能をオフする機能である。オートパワーオフ画面には、この猶予期間が記述された猶予期間リストＬ２と上述のアイコンＩＣＮ２とが表示される。オペレータが十字キー３０ｃｒｓによって所望の猶予期間を選択しかつ機能キー３０ｆ２を操作すると、ＣＰＵ２８は選択された猶予期間を有効化し、ＬＣＤモニタ３４の表示を図１０の下側に示すメイン画面に遷移させる。
【００５３】
図１１の左上に示すメニュー画面が表示されている状態で数字キー３０ｎを形成するいずれか１つのキーが操作されると、ＣＰＵ２８は、操作されたキーに割り当てられたラジオ局へのチューニングの切り換えをＦＭチューナ３６に命令し、切り換えられたラジオ局の周波数を窓Ｗ１に表示する。たとえば、図５に示す大阪府のラジオ局テーブル３２ｔのラジオ局が数字キー３０ｎに割り当てられかつラジオ局“ｆｍＯＳＡＫＡ”が選局されている状態で、キー“２”が操作されると、チューニングがラジオ局“ＦＭ８０２”に切り換えられるとともに、図１１の左上に示すように“８０．２ＭＨｚ”がメイン画面の窓Ｗ１に表示される。また、同じ状態でキー“５”が操作されると、チューニングがラジオ局“Ｋｉｓｓ−ＦＭ”に切り換えられ、図１１の左下に示すように“８９．９ＭＨｚ”がメイン画面の窓Ｗ１に表示される。
【００５４】
図１２の左上に示すメニュー画面が表示されている状態で機能キー３０ｆ２の短時間操作が行われると、ＣＰＵ２８は、特定のＷＥＢサイト９００に対してアクセス要求を送信する。このアクセス要求には、現時点で選局しているラジオ局を示すラジオ局情報と識別子“曲”とが含まれる。このアクセス要求を受信したＷＥＢサイト９００は、ラジオ局情報が示すラジオ局で今現在放送されている楽曲を特定し、特定した楽曲を案内する曲情報を要求元に返送する。
【００５５】
図１８から分かるように、曲情報は、情報の種類を識別する識別子，特定された楽曲の曲名，この楽曲を歌うアーティストの名前，この楽曲を放送するラジオ局の名前，この楽曲を放送する番組の名前，この楽曲を放送する番組の放送時間帯，およびこの情報を作成した日時によって形成される。
【００５６】
曲情報を受信している間、ＣＰＵ２８は、図１２の右上に示すように窓Ｗ３をメイン画面に多重する。窓Ｗ２には、曲情報を受信中である旨および何％の情報が受信されたかを示す情報が表示される。受信された曲情報は、フラッシュメモリ３２に形成された情報ボックス３２ｃｂに蓄積される。受信が完了すると、ＣＰＵ２８は、ＬＣＤモニタ３４の表示を図１２の下側に示すメイン画面に遷移させる。窓Ｗ２には、受信した曲情報に含まれる曲名，アーティスト名，ラジオ局名および番組名がスクロール態様で表示される。
【００５７】
図１３の左上に示すメイン画面が表示されている状態で機能キー３０ｆ２の長時間操作が行われると、ＣＰＵ２８は、曲情報を取得したときと同様、特定のＷＥＢサイト９００に対してアクセス要求を送信する。ただし、このアクセス要求には、現時点で選局しているラジオ局を示すラジオ局情報と識別子“詳細”とが含まれる。また、このアクセス要求を受信したＷＥＢサイト９００は、曲情報よりも内容の充実した詳細情報を要求元に返送する。
【００５８】
再び図１８を参照して、詳細情報は、曲情報が有する情報に加えて、現在選局されているラジオ局に関連するメールアドレス，ＷＥＢアドレス１，ＷＥＢアドレス２およびおすすめ情報を含む。
【００５９】
かかる詳細情報を受信している間、ＣＰＵ２８は、図１３の右上に示すメイン画面をＬＣＤモニタ３４に表示する。つまり、ＣＰＵ２８は、詳細情報を受信中であること、および何％の情報が受信されたかを告知する窓Ｗ４をメイン画面上に多重表示する。受信された詳細情報もまた、フラッシュメモリ３２に形成された情報ボックス３２ｃｂに蓄積される。受信が完了すると、ＣＰＵ２８は、ＬＣＤモニタ３４の表示を図１３の下側に示すメイン画面に遷移させる。窓Ｗ２には、受信した詳細情報に含まれる曲名，アーティスト名，ラジオ局名および番組名がスクロール態様で表示される。
【００６０】
図１４の左上に示す情報ボックス画面が表示されている状態で、十字キー３０ｃｒｓによって“取得情報一覧”が選択されかつ機能キー３０ｆ２が操作されると、ＣＰＵ２８はＬＣＤモニタ３４の表示を図１４の左上に示す取得情報一覧画面に遷移させる。遷移された取得情報一覧画面には、情報ボックス３２ｃｂに蓄積済みの曲情報および詳細情報の作成日付と、いずれか１つの作成日付に対応するラジオ局名，番組名，楽曲名およびアーティスト名と、上述のアイコンＩＣＮ２と、“機能”と記述されたアイコンＩＣＮ４とが表示される。
【００６１】
なお、曲情報と詳細情報とを識別するために、作成日付の先頭に “※”のマークが割り当てられる。このマークが割り当てられた情報が、詳細情報である。
【００６２】
ここでオペレータが十字キー３０ｃｒｓによって所望の詳細情報を選択しかつ機能キー３０ｆ２を操作すると、ＣＰＵ２８は、ＬＣＤモニタ３４の表示を図１４の下側に示す詳細画面に遷移させる。遷移された詳細画面には、ラジオ局名，番組名，放送時間帯，楽曲名，アーティスト名のような情報の他に、“リクエスト”，“ラジオＥＺへ”，“今週のランキング”および“おすすめ情報”のメニュー項目が表示される。また、画面の下側には、上述のアイコンＩＣＮ２およびＩＣＮ４が表示される。
【００６３】
ここで、“リクエスト”，“ラジオＥＺ”，“今週のランキング”および“おすすめ情報”のメニュー項目には、図１８に示す詳細情報を形成するメールアドレス，ＷＥＢアドレス１，ＷＥＢアドレス２およびおすすめ情報がそれぞれ割り当てられる。
【００６４】
したがって、十字キー３０ｃｒｓによって“リクエスト”が選択されかつ機能キー３０ｆ２が操作されると、メールアドレスが示すアドレス宛にアクセス要求が送信される。また、十字キー３０ｃｒｓによって“ラジオＥＺへ”が選択されかつ機能キー３０ｆ２が操作されると、ＷＥＢアドレス１が示すアドレス宛にアクセス要求が送信される。さらに、十字キー３０ｃｒｓによって“今週のランキング”が選択されかつ機能キー３０ｆ２が操作されると、ＷＥＢアドレス２が示すアドレス宛にアクセス要求が送信される。この結果、アクセス先から返信されたパケットデータに基づく画面がＬＣＤモニタ３４に表示される。また、十字キー３０ｃｒｓによって“おすすめ情報”が選択されかつ機能キー３０ｆ２が操作されると、詳細情報に含まれるおすすめ情報がＬＣＤモニタ３４に表示される。
【００６５】
オペレータが十字キー３０ｃｒｓによって所望の曲情報を選択しかつ機能キー３０ｆ２を操作すると、詳細情報を形成する項目のうち曲情報が持っていない項目が特定のＷＥＢサイト９００から取得される。これによって、選択された曲情報が詳細情報に変換される。また、オペレータが十字キー３０ｃｒｓによって所望の曲情報または詳細情報を選択しかつ機能キー３０ｆ３を操作すると、選択された情報がフラッシュメモリ３２に形成されたマイボックス３２ｍｂに複写される。これによって、選択された曲情報または詳細情報に保護がかけられる。
【００６６】
図１５の左上に示す情報ボックス画面が表示されている状態で、十字キー３０ｃｒｓによって“ＭＹＢＯＸ”が選択されかつ操作キー３０ｆ２が操作されると、ＣＰＵ２８は、ＬＣＤモニタ３４の表示を図１５の右上に示すマイボックス画面に遷移させる。遷移されたマイボックス画面には、マイボックス３２ｍｂに格納された曲情報，詳細情報および後述する番組情報に基づいて、“放送時間帯”，“ラジオ局名”および“番組名”からなる番組リストＬ３が表示される。画面下側には、上述のアイコンＩＣＮ２およびＩＣＮ４が表示される。ここで、オペレータが十字キー３０ｃｒｓによって所望の番組を選択しかつ機能キー３０ｆ２を操作すると、ＣＰＵ２８は、ＬＣＤモニタ３４の表示を図１５の下側に示す詳細画面に遷移させる。
【００６７】
なお、選択された番組に対応する情報が曲情報であれば、“リクエスト”，“ラジオＥＺへ”，“今週のランキング”および“おすすめ情報”のメニュー項目が表示されることはない。また、選択された番組に対応する情報が番組情報であれば、曲名およびアーティスト名が表示されることはない。
【００６８】
図１６の左上に示す情報ボックス画面が表示されている状態で十字キー３０ｃｒｓによって“ＳＥＡＲＣＨ”が選択されかつ機能キー３０ｆ２が操作されると、ＣＰＵ２８は、ＬＣＤモニタ３４の表示を図１６の右上に示す検索画面に遷移させる。遷移された検索画面には、検索条件を入力する複数の欄が表示される。オペレータが任意の検索条件を入力しかつ機能キー３０ｆ２を操作すると、入力された検索条件を含む検索要求が特定のＷＥＢサイト９００に送信される。特定のＷＥＢサイト９００は、検索条件に合致する番組を検索し、検索された番組を示す番組情報を返送する。図１８を参照して、番組情報は、曲名およびアーティスト名が欠落している点を除き、詳細情報と同じである。
【００６９】
番組検索が実行されている間、ＬＣＤモニタ３４には図１６の左下に示す検索中画面が表示される。特定のＷＥＢサイト９００から番組情報が返送されると、ＬＣＤモニタ３４の表示が図１６の右下に示す検索結果画面に遷移する。検索結果画面には、検索された番組と上述のアイコンＩＣＮ２およびＩＣＮ４とが表示される。検索された番組のいずれか１つが十字キー３０ｃｒｓによって選択されかつ機能キー３０ｆ３が操作されると、選択された番組の番組情報がマイボックス３２ｍｂに格納される。
【００７０】
図１７の左上に示すメイン画面が表示されている状態で、キー入力装置３０に設けられたクリアキー３０ｃｌｒが操作されると、ＣＰＵ２８は、図１７の右上に示すようにラジオ機能の終了を問い合わせる窓Ｗ７をメイン画面上に表示する。ここでオペレータが“１．中断”を選択すると、ＣＰＵ２８は、ラジオ機能のオン状態を継続しつつ、ラジオ画面の表示を終了する。これに対して、オペレータが“２．終了”を選択すると、ＣＰＵ２８は、ラジオ機能をオフ状態に移行させるとともに、ラジオ画面の表示を終了する。なお、“１．中断”の選択によってラジオ画面の表示が終了した後にサブキー３０ｓｕｂが操作されると、画面表示は図１７の左上に示す状態に復帰する。
【００７１】
なお、図６の右上に示すメイン画面が表示された状態で十字キー３０ｃｒｓが左右方向に操作されると、ＣＰＵ２８は、アンプ３８および４０を制御して音声信号のレベル（ボリューム）を変更する。十字キー３０ｃｒｓが右方向に１回操作されるとボリュームが１ステップ増大し、十字キー３０ｃｒｓが左方向に１回操作されるとボリュームが１ステップ減少する。
【００７２】
ＣＰＵ２８は、ラジオ機能のオン／オフを制御するために、図１９〜図２０に示すラジオ機能オン／オフ制御タスクを実行する。
【００７３】
まずステップＳ１で、ラジオ機能オン操作が行われたかどうかを判断し、ＹＥＳであればステップＳ３でステレオイヤフォン４０またはモノラルイヤフォン５０がイヤフォンジャック３８に装着されているかどうかを判断する。ここでＮＯと判断されると、ステップＳ５で警告メッセージを出力するが、ＹＥＳと判断されると、ステップＳ７でラジオ機能をオンする。これによって、ＦＭチューナ３６への電源供給が開始され、図６の左上に示すメイン画面がＬＣＤモニタ３４に表示されるとともに、ステレオイヤフォン４０またはモノラルイヤフォン５０からＦＭラジオ放送が出力される。続くステップＳ９では第１タイマＴ１のリセット＆スタートを行い、これによって第１タイマＴ１による計時が開始される。なお、タイマＴ１に設定される期間は、図１０の左上に示すオートパワーオフ画面上の操作によって有効化された猶予期間である。
【００７４】
ステップＳ１１では何らかのキー操作が行われたかどうかを判断し、ＹＥＳであればステップＳ９に戻るが、ＮＯであればステップＳ１３に進む。たとえば、図６の左上に示すメイン画面に向けられた機能キー３０ｆ１，３０ｆ２または３０ｆ３の操作や、図６右上に示すメニュー画面に向けられた十字キー３０ｃｒｓの操作は、有効なキー操作と判断される。これに対して、図６右上に示すメイン画面に向けられた十字キー３０ｃｒｓの操作や、図６右上に示すメニュー画面に向けられた機能キー３０ｆ１または３０ｆ３の操作は、無効なキー操作と判断される。
【００７５】
ステップＳ１３では、ステレオイヤフォン４０またはモノラルイヤフォン５０がイヤフォンジャック３８から取り外されたかどうか判断し、ステップＳ１５では第１タイマＴ１がタイムアウトになったかどうか判断する。ステレオイヤフォン４０またはモノラルイヤフォン５０が装着状態にありかつ第１タイマＴ１がタイムアウトになっていなければ、ステップＳ１１に戻る。ステレオイヤフォン４０またはモノラルイヤフォン５０が装着状態にありかつ第１タイマＴ１がタイムアウトとなれば、ステップＳ１７でラジオ機能をオフにしてステップＳ１に戻る。ラジオ機能のオフによってＦＭチューナ３６への電源供給が停止され、ラジオ放送の出力も停止される。さらに、ＬＣＤモニタ３４に表示されたラジオ画面が消去される。
【００７６】
ステレオイヤフォン４０またはモノラルイヤフォン５０がイヤフォンジャック３８から取り外されたときは、ステップＳ１３からステップＳ１９に移行する。ステップＳ１９では第２タイマＴ２のリセット＆スタートを行い、ステップＳ２１ではステレオイヤフォン４０またはモノラルイヤフォン５０が再度装着されたかどうか判断する。ステップＳ２１でＹＥＳと判断されれば、ステップＳ９に戻る。しかし、ステップＳ２１でＮＯと判断されれば、ステップＳ２３に進み、ラジオ機能に向けられた有効なキー操作が行われたかどうか、つまり現時点でＬＣＤモニタ３４に表示されている画面に有効なキー操作が行われたかどうかを判断する。
【００７７】
ステップＳ２３でＹＥＳと判断されたときはステップＳ２５に進み、今回のキー操作がパケット通信を必要とするキー操作であるか否かを判断する。たとえば、図７の右上に示すエリア選択画面に向けられた機能キー３０ｆ２の操作は、パケット通信を必要としないキー操作と判断される。これに対して、図１２左上または図１３左上に示すメイン画面に向けられた機能キー３０ｆ２の操作は、パケット通信を必要とするキー操作と判断される。ステップＳ２５でＮＯと判断されればそのままステップＳ１９に戻るが、ＹＥＳと判断されればステップＳ２７でパケット通信が終了するのを待ってステップＳ１９に戻る。
【００７８】
ステップＳ２３でＮＯと判断されたときは、第２タイマＴ２がタイムアウトとなったかどうかをステップＳ２９で判断する。ここでＮＯであればステップＳ２３に戻るが、ＹＥＳであればステップＳ３１でラジオ機能をオフしてからステップＳ１に戻る。
【００７９】
以上の説明から分かるように、携帯通信端末２００では、ラジオ機能がオンされると、ラジオ放送がジャック３８に接続されたステレオイヤフォン４０またはモノラルイヤフォン５０を通して受信され、受信されたラジオ放送の音声信号がステレオイヤフォン４０またはモノラルイヤフォン５０に出力される。ＬＣＤモニタ３４には、ラジオ放送に関連する特定操作を受け付けるラジオ画面が表示される。ステレオイヤフォン４０またはモノラルイヤフォン５０がジャック３８から外れると、タイマＴ２によって時間の測定が開始される。測定された時間が期限に達すると、つまりタイムアウトが発生すると、ラジオ機能がＣＰＵ２８によってオフされる。ラジオ機能のオフによって、ＦＭチューナ３６への電源供給が停止され、ラジオ画面の表示が終了する。ただし、測定された時間が期限に達する前に特定操作が行われると、期限がＣＰＵ２８によって延長される。
【００８０】
ステレオイヤフォン４０またはモノラルイヤフォン５０がジャック３８から外れたときにラジオ機能をオフすることで、無駄な電力消費を抑えることができる。また、期限が到来する前にラジオ画面に向けられた特定操作が行われたときに期限を延長することで、操作性の低下を回避することができる。
【００８１】
特定操作は、ラジオ放送の出力制御に関連するキー操作を含む。携帯端末でラジオ放送を聴取する場合、携帯端末の性質上、受信環境が変動しやすい。たとえば、現在地に適した同調周波数が当初の周波数設定と異なる状況が発生しやすい。このキー操作としては、単なるボリューム調整操作やチャネル切換操作の他に、かかる同調周波数の変化に応じたチューニング操作（微調整操作や再設定操作）がある。
【００８２】
そして、傍にいる別の人にかかるキー操作を依頼する場合に、ステレオイヤフォン４０またはモノラルイヤフォン５０がジャック３８から外されることがある。この実施例では、ラジオ機能を不能化する期限が特定操作によって延長されるため、途中で操作不能となることはない。
【００８３】
また、ラジオ局の中には、詳細情報，曲情報，番組情報などのコンテンツをデータ通信によって提供するラジオ局もある。特定操作には、かかるデータ通信の制御に関連するキー操作も含まれる。コンテンツを取得するときは必ずしもラジオ放送を聴取する必要はなく、ステレオイヤフォン４０またはモノラルイヤフォン５０がジャック３８から外される場合がある。さらに、取得したコンテンツに向けてキー操作（たとえばマイボックスへの複写操作）が行われる場合もある。この実施例では、ステレオイヤフォン４０またはモノラルイヤフォン５０が外されてからラジオ機能が不能化されるまでに期限があり、さらにこの期限がキー操作によって延長される。このため、コンテンツの取得操作および取得されたコンテンツに向けたキー操作が途中で不能となることはない。
【００８４】
さらに、期限が到来したかどうかの判断は、コンテンツの取得が完了するまで保留とされ、期限はコンテンツの取得が完了した後に延長される。このため、データ通信環境の変化によってコンテンツの取得に予想以上の時間がかかったとしても、コンテンツの取得の完了後に継続してこのコンテンツに向けられたキー操作を行うことができる。
【００８５】
なお、この実施例では、チューニングにあたって図８に示す操作を要求しているが、チューニングは次のような操作によって行うようにしてもよい。つまり、図６の左上に示すメイン画面が表示されている状態で十字キー３０ｃｒｓが上下方向に操作されたときにチューニングを変更したり、周波数の入力欄を表示して、この入力欄に直接入力された周波数にチューニングを変更したりしてもよい。また、特定の操作に応答して、画面のカラーや模様を変更できるようにしてもよい。これらの操作は、いずれもラジオ機能に有効なキー操作である。さらにこの実施例では、ラジオ放送の受信機能を有する携帯通信端末を用いて説明したが、この発明は、テレビジョン放送を受信する機能を有する携帯通信端末にも適用できる。
【図面の簡単な説明】
【００８６】
【図１】この発明の一実施例の構成を示す図解図である。
【図２】図１実施例に適用される通信端末の構成の一例を示すブロック図である。
【図３】図２実施例の通信端末に装着されるステレオイヤフォンの一例を示すブロック図である。
【図４】図２実施例の通信端末に装着されるモノラルイヤフォンの一例を示すブロック図である。
【図５】図２実施例に適用されるフラッシュメモリに形成されたテーブルの一例を示す図解図である。
【図６】ラジオ機能がオン状態のときにＬＣＤに表示される画面の遷移の一例を示す図解図である。
【図７】ラジオ機能がオン状態のときにＬＣＤに表示される画面の遷移の他の一例を示す図解図である。
【図８】ラジオ機能がオン状態のときにＬＣＤに表示される画面の遷移のその他の一例を示す図解図である。
【図９】ラジオ機能がオン状態のときにＬＣＤに表示される画面の遷移のさらにその他の一例を示す図解図である。
【図１０】ラジオ機能がオン状態のときにＬＣＤに表示される画面の遷移の他の一例を示す図解図である。
【図１１】ラジオ機能がオン状態のときにＬＣＤに表示される画面の遷移のその他の一例を示す図解図である。
【図１２】ラジオ機能がオン状態のときにＬＣＤに表示される画面の遷移のさらにその他の一例を示す図解図である。
【図１３】ラジオ機能がオン状態のときにＬＣＤに表示される画面の遷移の他の一例を示す図解図である。
【図１４】ラジオ機能がオン状態のときにＬＣＤに表示される画面の遷移のその他の一例を示す図解図である。
【図１５】ラジオ機能がオン状態のときにＬＣＤに表示される画面の遷移のさらにその他の一例を示す図解図である。
【図１６】ラジオ機能がオン状態のときにＬＣＤに表示される画面の遷移の他の一例を示す図解図である。
【図１７】ラジオ機能がオン状態のときにＬＣＤに表示される画面の遷移のその他の一例を示す図解図である。
【図１８】詳細情報，曲情報および番組情報のデータ構造の一例を示す図解図である。
【図１９】図２実施例に適用されるＣＰＵの動作の一部を示すフロー図である。
【図２０】図２実施例に適用されるＣＰＵの動作の他の一部を示すフロー図である。
【符号の説明】
【００８７】
１４  …無線回路
１６  …信号処理回路
２８  …ＣＰＵ
３０  …キー入力装置
３２  …フラッシュメモリ
３４  …ＬＣＤ
３６  …ＦＭチューナ
３８  …イヤフォンジャック
２００  …  携帯通信端末
【図１】
2005109729.tif 000003
【図２】
2005109729.tif 000004
【図３】
2005109729.tif 000005
【図４】
2005109729.tif 000006
【図５】
2005109729.tif 000007
【図６】
2005109729.tif 000008
【図７】
2005109729.tif 000009
【図８】
2005109729.tif 000010
【図９】
2005109729.tif 000011
【図１０】
2005109729.tif 000012
【図１１】
2005109729.tif 000013
【図１２】
2005109729.tif 000014
【図１３】
2005109729.tif 000015
【図１４】
2005109729.tif 000016
【図１５】
2005109729.tif 000017
【図１６】
2005109729.tif 000018
【図１７】
2005109729.tif 000019
【図１８】
2005109729.tif 000020
【図１９】
2005109729.tif 000021
【図２０】
2005109729.tif 000022